(57)【要約】【課題】この発明は、第１カバーと第２カバーとを円滑に組み付けることができる電気接続箱を提供することを目的とする。【解決手段】電気接続箱１は、上面３１及び、上面３１に設けられた内壁部３２を有するアッパーカバー３０と、底面２１及び底面２１から立設する外壁部２２を有するロアカバー２０を組み付けて筐体本体１０を構成し、長辺側外壁部２２ａの長手方向Ｌの中央部分における所定の領域が、長手方向Ｌの両端部分に比べて、筐体本体１０の外側に向けて出っ張った出っ張り領域２２１が設けられ、アッパーカバー３０とロアカバー２０とを組み付けた組み付け状態において、内壁部３２は、長辺側外壁部２２ａの内側に配置され、出っ張り領域２２１から内壁部３２に向けて突出する外壁側リブ２４、及び出っ張り領域２２１に対応する内壁部３２から長辺側外壁部２２ａに向けて突出する内壁側リブ３４が設けられた【選択図】図１
2020167816.tif 000002
【特許請求の範囲】
【請求項１】
上面又は底面の一方を構成する第１面部及び、前記第１面部に設けられた内壁部を有する第１カバーと、他方を構成する第２面部及び前記第２面部から立設する外壁部を有する第２カバーを組み付けた筐体本体を有する電気接続箱であって、
前記外壁部の主面に沿うとともに、前記第２面部から前記外壁部が立設する立設方向と直交する方向を幅方向とし、
前記外壁部の幅方向の中央部分における所定の領域が、幅方向の両端部分に比べて、前記筐体本体の外側に向けて出っ張った出っ張り領域が設けられ、
前記第１カバーと前記第２カバーとを組み付けた組み付け状態において、
前記内壁部は、前記外壁部の内側に配置され、
前記出っ張り領域から前記内壁部に向けて突出する外壁側リブ、又は、前記出っ張り領域に対応する前記内壁部から前記外壁部に向けて突出する内壁側リブの少なくとも一方が設けられた
電気接続箱。
【請求項２】
前記内壁側リブ及び前記外壁側リブの両方が設けられた
請求項１に記載の電気接続箱。
【請求項３】
前記組み付け状態において、
前記内壁側リブにおける他方側端部と前記外壁側リブにおける一方側端部とが、前記第２面部に対して等しい高さとなる、
あるいは、前記内壁側リブと前記外壁側リブとが、前記立設方向に対して重複している
請求項２に記載の電気接続箱。
【請求項４】
前記内壁側リブ及び前記外壁側リブが複数設けられ、
前記組み付け状態において、前記内壁側リブと前記外壁側リブとが、前記幅方向に沿って交互に配置された
請求項２又は請求項３に記載の電気接続箱。
【請求項５】
前記外壁側リブは、前記立設方向に向かうに伴い、徐々に外側に傾く外壁側傾斜部を有し、
前記内壁側リブは、前記立設方向と反対側に向かうに伴い、徐々に内側に傾く内壁側傾斜部を有する
請求項１乃至請求項４のうちのいずれかに記載の電気接続箱。
【請求項６】
前記第１カバーには、
前記組み付け状態において、前記外壁部を前記内壁部とで挟み込む挟壁部が設けられた
請求項１乃至請求項５のうちのいずれかに記載の電気接続箱。
【請求項７】
前記第１カバーと前記第２カバーとを固定する固定部が設けられ、
前記固定部は、前記組み付け状態において、前記出っ張り領域の幅方向の外側に配置されるとともに、前記筐体本体の外側に突出する
請求項１乃至請求項６のうちのいずれかに記載の電気接続箱。
【請求項８】
前記固定部が、前記出っ張り領域の外面と面一になるように形成された
請求項７に記載の電気接続箱。
【請求項９】
前記出っ張り領域が、前記外壁部における前記第２面部側の端部よりも前記第１面部側に設けられた
請求項１乃至請求項８のうちのいずれかに記載の電気接続箱。
【請求項１０】
前記出っ張り領域が、前記組み付け状態において、前記筐体本体に内蔵される基板よりも前記第２面部側に設けられた
請求項９に記載の電気接続箱。
【請求項１１】
前記組み付け状態において、前記出っ張り領域における前記第１面部側に、前記幅方向に沿うように前記筐体本体の外部に向けて延設する延設部が設けられた
請求項１乃至請求項８のうちのいずれかに記載の電気接続箱。
【発明の詳細な説明】
【技術分野】
【０００１】
この発明は、自動車などの車両に搭載される電気接続箱に関する。
【背景技術】
【０００２】
自動車の車両には、車両本体に搭載されたバッテリーや様々な電気機器類などに連結されたワイヤーハーネス同士を中継、あるいは分岐するジャンクションボックスなどの電気接続箱が搭載されている。
【０００３】
このような電気接続箱は、アッパーカバー（第１カバーとする）とロアカバー（第２カバーとする）とを上下方向から組み付け、第１カバーに設けた係止片を第２カバーに設けた差し込み部に差し込んで係止させた中空状の筐体が一般的であり、筐体の外部から接続したワイヤーハーネスを筐体に内蔵された基板に実装する電子部品と電気的に接続することができる。
【０００４】
例えば、特許文献１に開示されている電気接続箱では、内蔵された基板が密閉されるように、第１カバーの上面外周縁から下方に設けられた外壁部の内周面が、第２カバーを構成する底面の外周縁から上方に立設された内壁部の外周面と接するように第１カバーを第２カバーに組み付けられている。
【０００５】
しかしながら、底面又は上面に対して立設している外壁部及び内壁部は、電気接続箱の内側に向けてそれぞれ反ってしまっていることがあるため、第１カバーと第２カバーとの組み付け作業時に、外壁部及び内壁部が内蔵する基板と干渉することや、外壁部と内壁部とが当接することがあり、第１カバーと第２カバーとを円滑に組み付けられないこと場合があった。
【先行技術文献】
【特許文献】
【０００６】
【特許文献１】特開２０１６−１０３９１９号公報
【発明の概要】
【発明が解決しようとする課題】
【０００７】
この発明は、上述の問題に鑑み、第１カバーと第２カバーとを円滑に組み付けることができる電気接続箱を提供することを目的とする。
【課題を解決するための手段】
【０００８】
この発明は、上面又は底面の一方を構成する第１面部及び、前記第１面部に設けられた内壁部を有する第１カバーと、他方を構成する第２面部及び前記第２面部から立設する外壁部を有する第２カバーを組み付けた筐体本体を有する電気接続箱であって、前記外壁部の主面に沿うとともに、前記第２面部から前記外壁部が立設する立設方向と直交する方向を幅方向とし、前記外壁部の幅方向の中央部分における所定の領域が、幅方向の両端部分に比べて、前記筐体本体の外側に向けて出っ張った出っ張り領域が設けられ、前記第１カバーと前記第２カバーとを組み付けた組み付け状態において、前記内壁部は、前記外壁部の内側に配置され、前記出っ張り領域から前記内壁部に向けて突出する外壁側リブ、又は、前記出っ張り領域に対応する前記内壁部から前記外壁部に向けて突出する内壁側リブの少なくとも一方が設けられたことを特徴とする。
【０００９】
前記出っ張り領域は、前記外壁部のすべての面に設けられてもよいし、一部の面に設けられてもよい。なお、前記筐体本体の底面が長方形状に形成される場合、前記出っ張り領域は前記底面における長辺に対応する前記外壁部に設けられていることが好ましい。
【００１０】
この発明により、筐体本体の内部体積を減少させることなく、第１カバーと第２カバーとを円滑に組み付けることができる。  
詳述すると、前記外壁部における前記幅方向の中央部分に前記筐体本体の外側に出っ張る前記出っ張り領域が設けられることにより、前記筐体本体の内部空間の体積が減少することを防止できる。
【００１１】
また、この前記出っ張り領域に対応する箇所に前記内壁側リブ又は前記外壁側リブの少なくとも一方を設けることにより、前記内壁側リブ又は前記外壁側リブが設けられた前記内壁部又は前記外壁部が、前記筐体本体の内側に向けて反ることを防止できるため、前記第１カバーと前記第２カバーとの組み付け作業において、内蔵される基板に前記内壁部又は前記外壁部が干渉することや前記内壁部と前記外壁部とが干渉することなどを防止でき、円滑に前記第１カバーと前記第２カバーを組み付けることができる。  
したがって、前記筐体本体の内部体積を減少させることなく、前記第１カバーと前記第２カバーを組み付ける組み付け作業効率を向上させることができる。
【００１２】
さらにまた、前記外壁部と前記内壁部とが所望の間隔を隔てて配置されるため、前記外壁部と前記内壁部との間に水が侵入した場合であっても、前記外壁部と前記内壁部との間に水を流す空間を確保することができ、水が侵入したとしても前記筐体本体の内部から外部に水を流すことができる。
【００１３】
この発明の態様として、前記内壁側リブ及び前記外壁側リブの両方が設けられてよい。  
この発明により、前記内壁部及び前記外壁部の双方が前記筐体本体の内側に向けて反ることを防止できるため、前記第１カバーと前記第２カバーとを組み付ける組み付け作業において、前記内壁部を前記外壁部の内側により確実に配置させることができ、より円滑に前記第１カバーと前記第２カバーとを組み付けることができる。
【００１４】
また、前記内壁部及び前記外壁部の双方が前記筐体本体の内側に向けて反ることを防止することにより、前記内壁部及び前記外壁部が例えば電子部品を実装した基板などを前記筐体本体に配置する場合にも、前記基板が他の部材と干渉し、損傷させることを確実に防止できる。
【００１５】
またこの発明の態様として、前記組み付け状態において、前記内壁側リブにおける他方側端部と前記外壁側リブにおける一方側端部とが、前記第２面部に対して等しい高さとなる、あるいは、前記内壁側リブと前記外壁側リブとが、前記立設方向に対して重複していてもよい。
【００１６】
この発明により、前記組み付け状態において、前記内壁部と前記外壁部とが対向する部分が反ることを防止できるとともに、前記内壁部と前記外壁部の間隔を所定の間隔で保つことができる。したがって、より確実に前記内壁部を前記外壁部の内側に配置させることができるとともに、前記外壁部と前記内壁部との間に水が侵入した場合であっても、前記外壁部と前記内壁部との間に水を流す空間をより確実に確保することができる。
【００１７】
またこの発明の態様として、前記内壁側リブ及び前記外壁側リブが複数設けられ、前記組み付け状態において、前記内壁側リブと前記外壁側リブとが、前記幅方向に沿って交互に配置されてもよい。  
この発明により、前記出っ張り領域における前記内壁部及び前記外壁部の反りを複数設けられた前記内壁側リブ及び前記外壁側リブでより確実に防止できるため、より円滑に前記第１カバーと前記第２カバーとを組む付けることができる。  
【００１８】
またこの発明の態様として、前記外壁側リブは、前記立設方向に向かうに伴い、徐々に外側に傾く外壁側傾斜部を有し、前記内壁側リブは、前記立設方向と反対側に向かうに伴い、徐々に内側に傾く内壁側傾斜部を有してもよい。
【００１９】
この発明により、前記外壁側リブ及び前記内壁側リブで反りを規制しているものの、前記内壁部又は前記外壁部が前記筐体本体の内側に反った箇所がある場合であっても、前記外壁側傾斜部及び前記内壁側傾斜部に沿って前記内壁部及び前記外壁部を所望の位置に案内することができる。したがって、前記内壁部を前記外壁部の内側により正確に配置させることができ、より円滑に前記第１カバーと前記第２カバーとを組み付けることができる。
【００２０】
またこの発明の態様として、前記第１カバーには、前記組み付け状態において、前記外壁部を前記内壁部とで挟み込む挟壁部が設けられてもよい。  
この発明により、前記外壁部を前記内壁部と前記挟壁部で挟み込むため、前記第１カバーと前記第２カバーとが組み付けられた状態において、前記外壁部が前記筐体本体の内側及び外側に変形することを前記挟壁部と前記内壁部とで防止することができるため、組み付けられた前記筐体本体を所望の形状に維持することができる。
【００２１】
また、前記外壁部を前記第１カバーに設けられた前記内壁部と前記挟壁部とで挟む込むことができるため、前記筐体本体の内部に水が侵入することを防止でき、内蔵された電子部品などを浸水から保護することができる。
【００２２】
またこの発明の態様として、前記第１カバーと前記第２カバーとを固定する固定部が設けられ、前記固定部は、前記組み付け状態における前記出っ張り領域の幅方向の外側から前記筐体本体の外側に突出してもよい。
【００２３】
この発明によると、前記外壁部から前記筐体本体の外側に飛び出す前記固定部の間に、前記出っ張り領域を出っ張らせることができるため、デットスペースを有効活用することができる。したがって、前記筐体本体の内部空間の体積を減少させることなく、前記筐体本体のコンパクト化を図ることができる。
【００２４】
またこの発明の態様として、前記固定部が、前記出っ張り領域の外面と面一となるように形成されてもよい。  
この発明により、前記筐体本体の内部空間の体積を減少させずに、デットスペースを有効活用しつつ、前記電気接続箱のコンパクト化をより図ることができる。
【００２５】
またこの発明の態様として、前記出っ張り領域が、前記外壁部における前記第２面部側の端部よりも前記第１面部側に設けられてもよい。  
この発明によると、前記外壁部が、前記外壁部における前記第２面部側よりも前記第１面部側に前記出っ張り領域が出っ張る構成とすることができるため、すなわち、前記出っ張り領域における前記第２面部側が外側に出っ張っていない構成とすることができるため、前記出っ張り領域の強度を向上させることができる。これにより、前記外壁部が反ることをより確実に防止できる。
【００２６】
またこの発明の態様として、前記出っ張り領域が、前記組み付け状態において、前記筐体本体に内蔵される基板よりも前記第２面部側に設けられてもよい。  
この発明により、前記基板の配置位置において前記内壁部が前記筐体本体の内側に向けて反ることを防止できるため、前記基板を前記内壁部と干渉することなく前記第２カバーに設置させることができる。
【００２７】
またこの発明の態様として、前記組み付け状態において、前記出っ張り領域における前記第１面部側に、前記幅方向に沿うように前記筐体本体の外部に向けて延設する延設部が設けられてもよい。  
この発明により、前記出っ張り領域の強度を向上させることができ、前記出っ張り領域が前記筐体本体の内側に反ることをより確実に防止できる。
【発明の効果】
【００２８】
この発明により、第１カバーと第２カバーとを円滑に組み付けることができる電気接続箱を提供することができる。
【図面の簡単な説明】
【００２９】
【図１】車両本体に搭載された状態の電気接続箱の概略斜視図。
【図２】電気接続箱の概略分解斜視図。
【図３】ロアカバーの平面図。
【図４】ロアカバーの断面図。
【図５】アッパーカバーの底面図。
【図６】アッパーカバーの説明図。
【図７】電気接続箱の断面図。
【図８】電気接続箱の断面図。
【発明を実施するための形態】
【００３０】
この発明の一実施態を以下図面とともに説明する。  
図１は車両本体に設置された状態の電気接続箱１の概略斜視図を示し、図２は電気接続箱１を上方から視た概略分解斜視図を示し、図３及び図４はロアカバー２０の構成を説明する説明図を示し、図５及び図６はアッパーカバー３０の構成を説明する説明図を示し、図７及び図８はロアカバー２０とアッパーカバー３０とを組み合わせた電気接続箱１の断面図を示す。
【００３１】
ここで便宜上、図２中の上下方向を高さ方向Ｈとし、筐体本体１０の長手方向を長手方向Ｌ、長手方向Ｌ及び高さ方向Ｈに直交する方向を短手方向Ｗとする。また、図２中において、長手方向Ｌに沿って右方をＬｆ方向、左方をＬｒ方向とし、短手方向Ｗに沿って右方をＷｌ方向、左方をＷｒ方向とする。さらに、図２中の上方をＨｕ方向、下方をＨｄ方向とする。
【００３２】
図３乃至図８について詳述すると、図３は、ロアカバー２０の平面図であり、図３（ａ）はロアカバー２０をＨｕ方向から視たロアカバー２０全体の平面図を示し、図３（ｂ）は図３（ａ）におけるα部の拡大平面図を示す。図４（ａ）は図３（ａ）におけるＡ−Ａ矢視断面図を示し、図４（ｂ）は図４（ａ）におけるβ部の拡大断面図を示している。
【００３３】
図５はアッパーカバー３０の底面図であり、図５（ａ）はアッパーカバー３０をＨｄ方向から視たアッパーカバー３０全体の底面図を示し、図５（ｂ）は図５（ａ）におけるγ部の拡大底面図を示している。図６はアッパーカバー３０の構成を示す説明図であり、図６（ａ）はアッパーカバー３０をＷｌ方向から視たアッパーカバー３０全体の側面図を示し、図６（ｂ）は図６（ａ）におけるＢ−Ｂ矢視断面図を示し、図６（ｃ）は図６（ｂ）におけるδ部の拡大断面図を示している。
【００３４】
図７はロアカバー２０とアッパーカバー３０とを組み付けた電気接続箱１のＡ−Ａ矢視断面図に対応する断面図であり、図７（ａ）は電気接続箱１全体の断面図を示し、図７（ｂ）は図７（ａ）におけるε部の拡大断面図を示している。
【００３５】
同様に、図８はロアカバー２０とアッパーカバー３０とを組み付けた電気接続箱１のＢ−Ｂ矢視断面図に対応する断面図であり、図８（ａ）は電気接続箱１全体の断面図を示し、図８（ｂ）は図８（ａ）におけるζ部の拡大断面図を示している。
【００３６】
例えば、車両に搭載された様々な電気機器類（図示省略）に接続されている電線Ｄは、図１に示すように、それぞれの電線Ｄの一端側に連結されたコネクタＣを介して、電気機器類との結合や分岐などを行う端子や電子部品などが内蔵された電気接続箱１と電気的に接続されている。
【００３７】
これらの複数の電線ＤはクランプＫで束ねられてワイヤーハーネスＷＨを構成しており、このワイヤーハーネスＷＨは、図１に示すように、縦向きに配置された電気接続箱１に沿って配索されるとともに、クランプＫのクランプ固定部を介して電気接続箱１に固定されている。
【００３８】
なお、図１において、電気接続箱１は縦向きに配置されるように図示しているが、必ずしも縦向きで配置するとは限らず、ロアカバー２０が上方を向くように配置することや、アッパーカバー３０が上方に向くように車両に応じて適宜配置することができる。
【００３９】
ワイヤーハーネスＷＨと電気的に接続される電気接続箱１は、電気機器類との結合や分岐などを行う端子や電子部品などを内蔵できる中空状に形成された筐体本体１０で構成されている。
【００４０】
筐体本体１０について詳述すると、筐体本体１０は、図２に示すように、底面２１と外壁部２２とで構成する上方（Ｈｕ方向）が開放された凹状のロアカバー２０とを、上面３１と内壁部３２と、挟壁部３３とで構成する下方（Ｈｄ方向）が開放された逆凹状のアッパーカバー３０とを、高さ方向Ｈに組み付けた箱形で構成され、内部に基板４０が内蔵される内部空間を有している。
【００４１】
ロアカバー２０を構成する底面２１は、高さ方向Ｈから視て略長方形状に形成されており、底面２１の底面側には、コネクタＣを接続するとともに、高さ方向Ｈを介してコネクタＣに接続された電子機器と筐体本体１０に内蔵した基板４０に実装された電子部品などとを電気的に接続できる、底面側コネクタ接続部２１１が複数設けられている（図１参照）。
【００４２】
外壁部２２は、略長方形状に形成された底面２１の外周縁から上方（Ｈｕ方向）に沿って立設された平面視略長方形状の底面を有する筒状体であり、長方形の長辺に対応する長辺側外壁部２２ａと、底面２１の短辺に対応する短辺側外壁部２２ｂとで一体構成されている。
【００４３】
この長辺側外壁部２２ａ及び短辺側外壁部２２ｂには、アッパーカバー３０と係止して固定される固定部５０を構成する係止部２３が複数設けられている。  
具体的には、係止部２３は、長辺側外壁部２２ａの長手方向Ｌの端部側に２つ、短辺側外壁部２２ｂの短手方向Ｗの中央部分に１つずつ設けられている。
【００４４】
係止部２３は、後述する被係止部３６を係止するように、外壁部２２から外方に突出する係止突部２３１と、係止突部２３１の両端側（長辺側外壁部２２ａにおいては長手方向Ｌの両端側、短辺側外壁部２２ｂにおいては短手方向Ｗの両端側）において下方に延出するように外側に突出する棒状の係止案内部２３２，２３２とで構成されている（図２、図３（ｂ）参照）。
【００４５】
底面２１の長辺に対応するように形成された長辺側外壁部２２ａは、側面視で長手方向Ｌに沿った主面を有する略長方形状に構成されており、長辺側外壁部２２ａにおける幅方向の中央部分における所定の領域において（すなわち、長辺側外壁部２２ａにおける長手方向Ｌの中央部分において）筐体本体１０の外側に向けて出っ張るように設けられた出っ張り領域２２１と、出っ張り領域２２１の長手方向Ｌの両外側に設けられた幅方向側平面部２２２と、出っ張り領域２２１の下方（Ｈｄ方向）に設けられた下方側平面部２２３とで構成されており、幅方向側平面部２２２には係止部２３が設けられている。
【００４６】
この出っ張り領域２２１は、図３（ｂ）に示すように、幅方向側平面部２２２に比べて筐体本体１０の外側（短手方向Ｗの両端側）に向けてわずかに出っ張っており、内面には外壁側リブ２４が長手方向Ｌに沿って複数本（本実施形態において４本）等間隔で配置され、外面の上端よりもわずかに下方側には、短手方向Ｗの外側に向けて延出する延設部２５が長手方向Ｌに沿って設けられている。
【００４７】
また、出っ張り領域２２１は、下方側平面部２２３に比べて外側に出っ張っていることから、長辺側外壁部２２ａは、図４（ｂ）に示すように、長手方向Ｌから視て段差状に構成されている。なお、出っ張り領域２２１と下方側平面部２２３との境界部分（段差部分）は、ロアカバー２０に内蔵される基板４０よりも下方（Ｈｄ方向）に配置される。
【００４８】
また、幅方向側平面部２２２及び下方側平面部２２３に対して出っ張り領域２２１が出っ張っている長さは、幅方向側平面部２２２に設けられた係止部２３が筐体本体１０の外側に出っ張っている長さと同じである。すなわち、出っ張り領域２２１は、幅方向側平面部２２２に設けられた係止部２３と、平面視において、面一となるように形成されている。
【００４９】
このように出っ張り領域２２１、幅方向側平面部２２２，下方側平面部２２３とで立体形状に形成された長辺側外壁部２２ａは、平面構造で形成されている場合に比べて強度を向上させることができるため、外壁部２２が短手方向Ｗの内側に反ることを抑制することができる。  
【００５０】
なお、出っ張り領域２２１の長手方向Ｌに沿った方向の長さは外壁部２２の全体の半分程度の長さであるが、３分の１〜３分の２程度の長さであってもよい。出っ張り領域２２１が長手方向Ｌに沿って突出する範囲をこの範囲とすることで、出っ張り領域２２１が反ることを防止できる。
【００５１】
この出っ張り領域２２１の内面から短手方向Ｗの内側に向けて突出する外壁側リブ２４は、出っ張り領域２２１の内面において高さ方向Ｈに沿って形成されており、棒状に形成された外側リブ本体２４１と、外側リブ本体２４１の上端に形成された外壁側傾斜部２４２とで構成されている。
【００５２】
外側リブ本体２４１は、図４（ｂ）に示すように、長辺側外壁部２２ａの下端から上端まで高さ方向Ｈに沿って設けられている。すなわち、外側リブ本体２４１は、底面２１から、出っ張り領域２２１と下方側平面部２２３とを跨ぐように立設している。
【００５３】
また、外側リブ本体２４１における短手方向Ｗの内側端部は幅方向側平面部２２２よりも短手方向Ｗの外側に配置されるように構成されている。なお、外側リブ本体２４１の下端側は、基板４０を配置させる基板配置リブ２６と一体に構成されていてもよい（図４（ａ）参照）。  
外側リブ本体２４１の上端に形成された外壁側傾斜部２４２は、上方（Ｈｕ方向）に向かうに伴い、短手方向Ｗの外側に向けて連続して傾斜する傾斜面である。  
【００５４】
このように内周面に外壁側リブ２４が設けられた長辺側外壁部２２ａは、長手方向Ｌの中央部分の強度を向上させることができるとともに、下端が底面２１と連結している外壁側リブ２４により長辺側外壁部２２ａが反ること、特に短手方向Ｗの内側に反ることを防止できる。
【００５５】
一方、出っ張り領域２２１の外面に設けられている延設部２５は、長手方向Ｌに沿って短手方向Ｗの外側に向けて突出するように形成されており、出っ張り領域２２１を挟んで設けられた係止案内部２３２と係止案内部２３２とを連結している。すなわち、延設部２５は、出っ張り領域２２１と幅方向側平面部２２２とを跨ぐように設けられている。
【００５６】
底面２１の短辺に対応するように形成された短辺側外壁部２２ｂは、短手方向Ｗの中央部分上端に係止部２３が設けられているとともに、短手方向ＷのＷｒ方向端部には、ワイヤーハーネスＷＨを束ねるクランプＫを固定するハーネス固定部６０が長手方向Ｌの外側に向けて突出するように設けられている。
【００５７】
アッパーカバー３０を構成する上面３１は、底面２１に比べて一回り大きな底面視略長方形状に形成されており、外周縁よりも内側において、下方（Ｈｄ方向）に向けた延出する内壁部３２と、外周縁から下方（Ｈｄ方向）に向けた延出する挟壁部３３とが立設されている。  
すなわち、アッパーカバー３０は、内側に立設された内壁部３２と、外側に立設された挟壁部３３とで構成された二重構造の壁を有している。
【００５８】
この上面３１の上面側には、底面２１と同様に、コネクタＣを接続するとともに、高さ方向Ｈを介してコネクタＣに接続された電子機器と筐体本体１０に内蔵した基板４０に実装された電子部品などとを電気的に接続できる、上面側コネクタ接続部３１１が複数設けられている（図２参照）。
【００５９】
上面３１の外周縁から内側において、下方に向けて立設された内壁部３２は、底面がＨｄ方向から視て底面２１よりも小さい略長方形状である管状の柱体であり、長辺に対応する長辺側内壁部３２ａと短辺側内壁部３２ｂとで構成されている。
【００６０】
より詳しくは、上面３１の長辺に対応する長辺側内壁部３２ａは、長辺側外壁部２２ａとは異なり、底面視において長手方向Ｌに沿って直線状に形成された面を構成している。すなわち、長辺側内壁部３２ａは、短手方向Ｗの外側に出っ張る長辺側外壁部２２ａにおける出っ張り領域２２１に対応する構成を有さない。
【００６１】
また、長辺側内壁部３２ａには、ロアカバー２０とアッパーカバー３０とを組み付けた組付け状態において、長辺側内壁部３２ａの出っ張り領域２２１に対応する箇所に、外周面から外側に向けて突出する内壁側リブ３４が、長手方向Ｌに沿って所定の間隔を隔てて複数（本実施形態では４つ）設けられている（図６（ａ）参照）。  
なお、Ｗｒ方向の長辺側内壁部３２ａに設けられた内壁側リブ３４と、Ｗｌ方向に設けられた内壁側リブ３４とは、長手方向Ｌに沿って少しずらして配置されている（図５（ａ）参照）。
【００６２】
内壁側リブ３４は、図６（ｂ）及び図６（ｃ）に示すように、上面３１の下端から内壁部３２に沿って下方（Ｈｄ方向）に立設されており、高さ方向Ｈに沿った棒状に形成された内側リブ本体３４１と、内側リブ本体３４１の下端に形成された内壁側傾斜部３４２とで構成されている。
【００６３】
内側リブ本体３４１は、図６（ｃ）に示すように、長辺側内壁部３２ａの上端から、すなわち上面３１から高さ方向Ｈに沿って直線状に設けられている。  
内側リブ本体３４１の上端に形成された内壁側傾斜部３４２は、下方（Ｈｄ方向）に向かうに伴い、短手方向Ｗの内側に向けて連続して傾斜する傾斜面である。なお、外壁側傾斜部２４２と内壁側傾斜部３４２は同じ傾斜角度となるように構成されている。
【００６４】
このように構成された内壁側リブ３４は、長辺側外壁部２２ａの内周面に配置された外壁側リブ２４と同じ間隔で、長辺側内壁部３２ａの外周面に並列配置されている。なお、外壁側リブ２４と内壁側リブ３４とは、ロアカバー２０とアッパーカバー３０との組み付け状態において、互いに対向配置されないように、長手方向Ｌに沿って位置をずらして配置されている。  
すなわち、ロアカバー２０とアッパーカバー３０との組み付け状態において、外壁側リブ２４と内壁側リブ３４とは長手方向Ｌに沿って互いに交互に配置されることとなる。
【００６５】
このように構成された内壁側リブ３４は、長辺側内壁部３２ａにおける長手方向Ｌの中央部分の外周面に設けられることにより、長辺側内壁部３２ａの強度を向上させることができ、長辺側内壁部３２ａが短手方向Ｗの内側に反ることを防止できる。
【００６６】
上面３１の外周縁から下方（Ｈｄ方向）に向けて立設された挟壁部３３は、内壁部３２の約半分程度の高さを有する壁部であり、上面３１における長辺に対応する長辺側挟持壁３３ａと、上面３１の短辺に対応する短辺側挟持壁３３ｂとで構成され、長辺側挟持壁３３ａの長手方向Ｌの両端側及び短辺側挟持壁３３ｂの中央部分には、係止部２３とともに固定部５０を構成する被係止部３６が設けられている。
【００６７】
この被係止部３６は、挟壁部３３から下方に向けて延出された棒状の被係止枠３６１，３６１と、被係止枠３６１，３６１の下端側同士を連結した被係止連結部３６２とで構成され（図２参照）、被係止枠３６１が係止案内部２３２，２３２の間に案内され被係止連結部３６２を外側リブ本体２４１に係止することにより、ロアカバー２０とアッパーカバー３０とを固定することができる。
【００６８】
長辺側挟持壁３３ａは、ロアカバー２０とアッパーカバー３０とを組み付けた状態において、長辺側外壁部２２ａにおける出っ張り領域２２１と対応する箇所に形成される上方出っ張り領域３３１と、長辺側外壁部２２ａにおける幅方向側平面部２２２と対応する箇所に形成される上方平坦部３３２とで構成される。  
なお、上方出っ張り領域３３１は、幅方向側平面部２２２に対して出っ張り領域２２１が出っ張る長さと同じだけ、上方平坦部３３２から短手方向Ｗの外側に出っ張っている。
【００６９】
換言すると、内壁部３２と挟壁部３３との間には、上方出っ張り領域３３１に対応する箇所に外壁部２２の板厚と外壁側リブ２４の突出量と略同じ幅を有する突出側溝部３７１と、上方平坦部３３２に対応する箇所に外壁部２２の板厚と略同じ幅を有する平坦側溝部３７２とで構成された溝部３７が形成されている（図５（ｂ）参照）。
【００７０】
このように構成されたロアカバー２０とアッパーカバー３０とは、図７及び図８に示すように、被係止部３６に外壁部２２が嵌めるように、上方からアッパーカバー３０をロアカバー２０に組み付けて電気接続箱１を構成することができる。
【００７１】
上述のように、長辺側外壁部２２ａの内周面及び長辺側内壁部３２ａの外周面には、それぞれ外壁側リブ２４及び内壁側リブ３４が複数並列配置されているため、長辺側外壁部２２ａ及び長辺側内壁部３２ａが短手方向Ｗの内側に反ることを防止できる。
【００７２】
また、外壁側リブ２４に設けられた外壁側傾斜部２４２に沿って長辺側内壁部３２ａが長辺側外壁部２２ａの短手方向Ｗの内側に配置されるように案内するとともに、内壁側リブ３４に設けられた内壁側傾斜部３４２に沿って長辺側外壁部２２ａが長辺側内壁部３２ａと長辺側挟持壁３３ａとの間に設けられた溝部３７に入り込むように案内することができる。
【００７３】
これにより、アッパーカバー３０をロアカバー２０の上方から組み付けた場合において、外壁部２２が溝部３７にスムーズに入り込むこととなる。すなわち、ロアカバー２０とアッパーカバー３０とを組み付ける組付け作業を円滑に行うことができる。
【００７４】
また、仮に外壁部２２が反っている場合であっても、外壁側リブ２４又は内壁側リブ３４により、内壁側リブ３４が外壁側リブ２４の内部に案内されるとともに、外壁部２２を外側ＯＵＴに押し広げることができるため、所望の位置に外壁部２２と内壁部３２とを配置できる。
【００７５】
このように外壁部２２を溝部３７にはめた状態において、挟壁部３３の下端面は、図７（ｂ）及び図８（ｂ）に示すように、延設部２５と当接することとなる。  
この状態において、出っ張り領域２２１に対応する突出側溝部３７１では、外壁側リブ２４及び内壁側リブ３４が長手方向Ｌに沿って交互に配置されており、仮に外壁部２２が短手方向Ｗの内側に沿った場合であっても、内壁側リブ３４が外壁部２２と当接して短手方向Ｗの内側に向かって反ることを防止できるため、ロアカバー２０とアッパーカバー３０とが正確に組み付けられた状態を維持することができる。
【００７６】
また、挟壁部３３で外壁部２２の外周面の上端側をカバーしているため、電気接続箱１（筐体本体１０）の内部に水が浸入することを防止できる。しかしながら、電気接続箱１にかかる水の量によっては、ロアカバー２０とアッパーカバー３０との組み付け部分（延設部２５と挟壁部３３との間）から水が侵入することがある。
【００７７】
このような場合であっても、外壁側リブ２４及び内壁側リブ３４には、外壁側傾斜部２４２及び内壁側傾斜部３４２が長手方向Ｌに沿って交互に配置されるようにこうけられているため、内壁部３２の外面と外壁側リブ２４との間及び外壁部２２の内面と内壁側リブ３４との間に迷路状の空間が形成され、水を抜く経路を形成することができる。
【００７８】
これにより、ロアカバー２０とアッパーカバー３０との組み付け部分（延設部２５と挟壁部３３との間）から水が侵入したとしても、例えば電気接続箱１を立てて配置している場合や、電気接続箱１を傾いて配置している場合、坂道など車両本体が傾いている場合などに、迷路状に形成された空間を通って水が流れて外部に排出されるため、電気接続箱１の内部に水が浸入することを防止できる。
【００７９】
なお、外壁側リブ２４の上端は、上面３１と当接しておらず、より体積が広い経路が形成されている。これにより、ロアカバー２０とアッパーカバー３０との組み付け部分から内部に侵入したより水をより確実に流して排出することができる。
【００８０】
このように構成された電気接続箱１は、上面を構成する上面３１及び、上面３１に設けられた内壁部３２を有するアッパーカバー３０と、底面を構成する底面２１及び底面２１から立設する外壁部２２を有するロアカバー２０を組み付けて筐体本体１０を構成し、長辺側外壁部２２ａの主面に沿うとともに、底面２１から外壁部２２が立設する高さ方向Ｈと直交する方向を長手方向Ｌとし、長辺側外壁部２２ａの長手方向Ｌの中央部分における所定の領域が、長手方向Ｌの両端部分に比べて、筐体本体１０の外側に向けて出っ張った出っ張り領域２２１が設けられ、アッパーカバー３０とロアカバー２０とを組み付けた組み付け状態において、内壁部３２は、長辺側外壁部２２ａの内側に配置され、出っ張り領域２２１から内壁部３２に向けて突出する外壁側リブ２４、及び出っ張り領域２２１に対応する内壁部３２から長辺側外壁部２２ａに向けて突出する内壁側リブ３４が設けられたことにより、筐体本体１０の内部体積を減少させることなく、アッパーカバー３０とロアカバー２０とを円滑に組み付けることができる。  
【００８１】
詳述すると、長辺側外壁部２２ａにおける長手方向Ｌの中央部分における所定の領域に、筐体本体１０の外側に向けて出っ張る出っ張り領域２２１が設けられることにより、筐体本体１０の内部空間の体積が減少することを防止できる。
【００８２】
また、外壁側リブ２４及び内壁側リブ３４が設けられることにより、内壁部３２及び外壁部２２の双方が筐体本体１０の内側に向けて反ることを防止できるため、アッパーカバー３０とロアカバー２０とを組み付ける組み付け作業において、内壁部３２を外壁部２２のより確実に内側に配置させることができ、より円滑にアッパーカバー３０とロアカバー２０とを組み付けることができる。
【００８３】
したがって、筐体本体１０の内部体積を減少させることなく、アッパーカバー３０とロアカバー２０を組み付ける組み付け作業効率を向上させることができる。
【００８４】
また、内壁部３２及び外壁部２２の双方が筐体本体１０の内側に向けて反ることを防止することにより、内壁部３２及び外壁部２２が例えば電子部品を実装した基板４０など他の部材と干渉し、損傷させることを確実に防止できる。
【００８５】
さらにまた、外壁部２２と内壁部３２とが所望の間隔を隔てて配置されるため、外壁部２２と内壁部３２との間に水が侵入した場合であっても、外壁部２２と内壁部３２との間に水を流す空間を確保することができ、水が侵入したとしても筐体本体１０の内部から外部に水を流すことができる。
【００８６】
また、ロアカバー２０とアッパーカバー３０との組み付け状態において、外壁側リブ２４の上端側端部と内壁側リブ３４の下方側端部とが、高さ方向Ｈに対して重複していることにより、内壁部３２と外壁部２２とが対向する部分が反ることを防止できるとともに、内壁部３２と外壁部２２の間隔を高さ方向Ｈに対して所定の間隔で保つことができる。したがって、より確実に内壁部３２を外壁部２２の内側に配置させることができるとともに、外壁部２２と内壁部３２との間に水が侵入した場合であっても、外壁部２２と内壁部３２との間に水を流す空間をより確実に確保することができる。
【００８７】
さらにまた、外壁側リブ２４及び内壁側リブ３４が複数設けられ、組み付け状態において、外壁側リブ２４と内壁側リブ３４とが、長手方向Ｌに沿って交互に配置されていることにより、出っ張り領域２２１における内壁部３２及び外壁部２２の反りを複数設けられた外壁側リブ２４及び内壁側リブ３４でより確実に防止できるため、より円滑にアッパーカバー３０とロアカバー２０とを組む付けることができる。
【００８８】
さらにまた、外壁側リブ２４はＨｄｕ方向に向かうに伴い、徐々に外側に傾く外壁側傾斜部２４２を有し、内壁側リブ３４は、Ｈｄ方向に向かうに伴い、徐々に内側に傾く内壁側傾斜部３４２を有していることにより、内壁部３２又は外壁部２２の少なくとも一方が筐体本体１０の内側にわずかに反っている場合であっても、内壁側傾斜部３４２及び外壁側傾斜部２４２に沿って内壁部３２及び外壁部２２を所望の位置に案内することができる。したがって、内壁部３２を外壁部２２の内側に正確に配置させることができ、より円滑にアッパーカバー３０とロアカバー２０とを組み付けることができる。
【００８９】
また、アッパーカバー３０には、ロアカバー２０とアッパーカバー３０との組み付け状態において、外壁部２２を内壁部３２とで挟み込む挟壁部３３が設けられていることにより、外壁部２２を内壁部３２と挟壁部３３で挟み込むため、アッパーカバー３０とロアカバー２０とが組み付けられた状態において、外壁部２２が筐体本体１０の内側及び外側に変形することを挟壁部３３と内壁部３２とで防止することができるため、組み付けられた筐体本体１０を所望の形状に維持することができる。
【００９０】
加えて、外壁部２２をアッパーカバー３０に設けられた内壁部３２と挟壁部３３とで挟む込むことができるため、筐体本体１０の内部に水が侵入することを防止でき、内蔵された電子部品などを浸水から保護することができる。
【００９１】
また、アッパーカバー３０とロアカバー２０とを固定する固定部５０が設けられ、固定部５０は、組み付け状態において、出っ張り領域２２１の長手方向Ｌの外側に配置されるとともに、筐体本体２の外側に出っ張ることにより、外壁部２２から筐体本体１０の外側に飛び出す固定部５０の間に、出っ張り領域２２１を突出させることができるため、デットスペースを有効活用することができる。これにより、筐体本体１０の内部空間の体積を減少させることなく、筐体本体１０のコンパクト化を図れる。
【００９２】
さらにまた、固定部５０が、出っ張り領域２２１の外面と面一となるように形成されていることにより、筐体本体１０の内部空間の体積を減少させることなく、デットスペースを有効活用しつつ、さらに電気接続箱１のコンパクト化をより図ることができる。
【００９３】
また、出っ張り領域２２１が、外壁部２２における下方側（Ｈｄ方向）の端部よりも上方側（Ｈｕ方向）に設けられることにより、外壁部２２が、外壁部２２における下方側（Ｈｄ方向）から出っ張り領域２２１が出っ張る構成とすることができるため、出っ張り領域２２１の強度を向上させることができる。これにより、出っ張り領域２２１が反ることをより確実に防止できる。
【００９４】
また、出っ張り領域２２１が、組み付け状態において、筐体本体１０に内蔵される基板４０よりも下方側（Ｈｄ方向）に設けられることにより、基板４０の配置位置において内壁部３２が筐体本体１０の内側に向けて反ることを防止できるため、筐体本体１０に内蔵される基板４０を、内壁部３２と干渉することなくアッパーカバー３０に設置させることができる。
【００９５】
また、組み付け状態において、出っ張り領域２２１における上方側（Ｈｕ方向）に、長手方向Ｌに沿うように筐体本体１０の外部に向けて延設する延設部２５が設けられることにより、出っ張り領域２２１の強度を向上させることができ、出っ張り領域２２１が筐体本体１０の内側に反ることをより確実に防止できる。
【００９６】
この発明の構成と、上述の実施形態との対応において、
第１面部は、上面３１に対応し、同様に、
第１カバーは、アッパーカバー３０に対応し、
第２面部は、底面２１に対応し、
第２カバーは、ロアカバー２０に対応し、
電気接続箱は、電気接続箱１に対応し、
立設方向は、高さ方向Ｈに対応し、
幅方向は、長手方向Ｌに対応するが、
この発明は、上述の実施形態の構成のみに限定されるものではなく、多くの実施の形態を得ることができる。
【００９７】
なお、以下に記載の他の実施形態において、本実施形態と同じ構成については同一の番号を付しその説明を省略する。また、他の実施形態に記載の内容は、それぞれの実施形態にのみ実施できるものではなく、効果を奏する限り適宜組み合わせを変更することができる。
【００９８】
例えば、本実施形態において、出っ張り領域２２１は、長辺側外壁部２２ａに設けられているが、外壁部２２のすべての面に設けられてもよい。なお、筐体本体１０の底面が長方形状に形成される場合、出っ張り領域２２１は底面における長辺に対応する長辺側外壁部２２ａは筐体本体１０の内部に向けて反りやすいことから、長辺側外壁部２２ａに設けられていることが好ましい。
【００９９】
また、本実施形態では、外壁部２２に外壁側リブ２４が、内壁部３２に内壁側リブ３４が設けられているが、必ずしも外壁側リブ２４及び内壁側リブ３４設ける必要はなく、外壁側リブ２４及び内壁側リブ３４の少なくとも一方が設けてあれば、外壁部２２（張り領域２２１）又は内壁側リブ３４の反りを防止できるとともに、確実に内壁部３２が外壁部２２の内側に配置させることができる。
【０１００】
また、本実施形態では、ロアカバー２０が外壁部２２を有し、アッパーカバー３０が外壁部２２を挟む内壁部３２と挟壁部３３とを有しているが、アッパーカバー３０とロアカバー２０の構成をそれぞれ逆にしてもよい。
【０１０１】
また、本実施形態では、ロアカバー２０とアッパーカバー３０との組み付け状態において、外壁側リブ２４の上端側端部と内壁側リブ３４の下方側端部とが、高さ方向Ｈに対して重複している構成としているが、必ずしも重複している必要はなく、例えば、内壁側リブ３４における下方側端部の位置と外壁側リブ２４における上方側端部の位置とが、底面２１に対して等しい高さとなるように構成されていてもよい。すなわち、内壁側リブ３４の下方側端部と外壁側リブ２４の上端側端部とが高さ方向Ｈから視て同じ高さとなるように配置されていてもよい。
【符号の説明】
【０１０２】
１        電気接続箱
１０      筐体本体
２０      ロアカバー
２１      底面
２２      外壁部
２２１    出っ張り領域
２４      外壁側リブ
２４２    外壁側傾斜面
２５      延設部
３０      アッパーカバー
３１      上面
３２      内壁部
３４      内側リブ
３４２    外壁側傾斜部
３３      挟壁部
４０      基板
５０      固定部
Ｈ        高さ方向
Ｌ        長手方向
【図１】
2020167816.tif 000003
【図２】
2020167816.tif 000004
【図３】
2020167816.tif 000005
【図４】
2020167816.tif 000006
【図５】
2020167816.tif 000007
【図６】
2020167816.tif 000008
【図７】
2020167816.tif 000009
【図８】
2020167816.tif 000010